(57)【要約】【課題】従来に伸縮杖は、座位状態からの起立を行う際には、腕力で体重の一部を支持する必要があるため、使用者が力を出し難く、また直立状態での移動を行う際には、より広い範囲で杖を接地できなかった。伸縮杖の長さが短い状態と長い状態との決定した長さを基に、伸縮杖の長さを簡単に変更可能な杖の長さを簡単に変更可能な伸縮杖が必要であった。【解決手段】上支柱に外部孔を設け、下支柱に上支柱の外部孔に連通又は非連通する内部孔を設ける。上支柱に設けたトリガ部のトリガ操作用ロッドの操作により、上支柱の外部孔と下支柱の内部孔とを連通又は非連通するロック部を設ける。前記トリガ操作用ロッドの操作により、支柱の外部孔と下支柱の内部孔とを連通させて、前記伸縮杖の長さを複数段に変化、調節する伸縮杖。【選択図】図１
2008220909.tif 000002
【特許請求の範囲】
【請求項１】
上支柱と下支柱とからなる支柱、前記上支柱に設けられた握り部とからなる伸縮杖において、前記上支柱に外部孔を設け、前記下支柱に前記上支柱の前記外部孔に連通又は非連通する内部孔を設け、前記握り部の下部に、前記上支柱にトリガ操作用ロッドを有するトリガ部を設け、前記トリガ部の前記トリガ操作用ロッドの操作により、上記上支柱の前記外部孔と前記下支柱の前記内部孔とを連通又は非連通するロック部を設け、前記トリガ部の前記トリガ操作用ロッドの操作により、上記上支柱の前記第外部孔と前記下支柱の前記内部孔とを連通させて、前記伸縮杖の長さを複数段に変化、調節することを特徴とする伸縮杖。
【請求項２】
請求項１において、前記トリガ部のトリガ操作用ロッドの操作力を、前記ロック部に設けたロック手段で、上記上支柱の前記外部孔と前記下支柱の前記内部孔とを連通させて、前記伸縮杖の長さを複数段に変化、調節することを特徴とする伸縮杖。
【請求項３】
請求項１において、前記トリガ部のトリガ操作用ロッドの操作力を、前記トリガ部と前記ロック部を接続する接続手段を介して、前記接続手段に接続する、前記ロック部に設けたロック手段で、上記上支柱の前記外部孔と前記下支柱の前記内部孔とを連通させて、前記伸縮杖の長さを複数段に変化、調節することを特徴とする伸縮杖。
【請求項４】
請求項３において、前記ロック部に、前記接続部材に接続する可動部材と、前記可動部材を押圧するばねと、前記可動部材に取り付けられた金具とを設け、前記金具が記上支柱の前記外部孔と前記下支柱の前記内部孔とを連通させて、前記伸縮杖の長さを複数段に変化、調節することを特徴とする伸縮杖。
【請求項５】
上支柱と下支柱とからなる支柱、前記上支柱に設けられた握り部とからなる伸縮杖において、前記上支柱に外部孔を設け、前記下支柱に前記上支柱の前記外部孔に連通又は非連通する第一内部孔と第二内部孔を設け、前記握り部の下部に、前記上支柱にトリガ操作用ロッドを有するトリガ部を設け、前記トリガ部の前記トリガ操作用ロッドの操作により、上記上支柱の前記外部孔と前記下支柱の前記第一内部孔と第二内部孔とを連通又は非連通するロック部を設け、前記トリガ部の前記トリガ操作用ロッドの操作により、上記上支柱の前記外部孔と前記下支柱の前記第一内部孔とを連通させて、前記伸縮杖の長さをロング状態に、上記上支柱の前記外部孔と前記下支柱の前記第二内部孔とを連通させて、前記伸縮杖の長さをショート状態の２段階に調節し、前記伸縮杖の前記ロング状態では直立状態でに移動に、前記伸縮杖の前記ショート状態では座位状態からの起立に供することを特徴とする伸縮杖。
【発明の詳細な説明】
【技術分野】
【０００１】  本発明は、伸縮杖に関し、特に長さ（高さ）調節機構を改良した伸縮杖に関するものである。
【背景技術】
【０００２】  従来の伸縮杖である、例えばロフストランドクラッチは、杖の上方が屈曲し、握り部の上部に設置された前腕カフに腕を通して使用する歩行補助用の伸縮杖である。【０００３】  このロフストランドクラッチでは、前腕カフによって前腕を保持しているので、前腕の延長として杖を操作することができ、肘関節の自由度を生かすことができる。また、ロフストランドクラッチは、握り部と前腕カフの２点で使用者の体重を支え、使用者は体重を掌で支える形になるため、手首の力や握力が弱いときでも有効に使用できる。【０００４】  この従来のロフストランドクラッチの支柱は、上支柱と下支柱とで構成され、上支柱に設けられた複数の貫通孔の一つに下支柱の突起が係合し、ある長さ（高さ）を有する伸縮杖となる。【０００５】  この従来のロフストランドクラッチでは、ある一定の長さ（高さ）を有する伸縮杖にするための操作は、例えば杖を横に一旦持ち代えて行うため煩わしく煩雑であった。また、この従来のロフストランドクラッチでは、座位状態からの起立動作時と直立状態での移動動作時の場合、使用者がロフストランドクラッチの長さ（高さ）を簡単に容易に調節することについては、考慮されていなかった。【０００６】  又、従来の伸縮杖として、例えば下記特許文献１に示されている長さ調節機構を有する伸縮杖が知られている。【０００７】  この特許文献１に示されている伸縮杖は、主として、取っ手と、複数のシャフトと、長さ調整機構とで構成されている。伸縮杖の長さ調節機構は、最上位のシャフトに内蔵され、ロッドのストッパーで他のシャフトのどれか１つと連結される。伸縮杖の長さ調節機構は、複数の位置決め孔と、内側に雌ねじを設けたケーシングと、このケーシングに挿入されるロッドとで構成されている。このロッドの上部には雄ねじが設けられたベアリングホルダーが、、ロッドの下部にはストッパーが設けられている。【０００８】  この特許文献１に示されている伸縮杖においては、一定の長さ（高さ）を有する伸縮杖にするための操作は、煩わしく煩雑であった。また、この従来の伸縮杖では、座位状態からの起立動作時と直立状態での移動動作時の場合、使用者が伸縮杖の長さ（高さ）を簡単に容易に調節することについては、考慮されていなかった。
【特許文献１】特開２００５−２３０２８７号公報
【発明の開示】
【発明が解決しようとする課題】
【０００９】  発明者等は、伸縮杖の使用者の座位状態からの起立動作時と直立状態での移動動作時との両動作時の動作手法について、種々検討を加えた。その結果、座位状態からの起立を行う際には、腕力で体重の一部を支持する必要があるため、使用者が力を出し易いように伸縮杖が短い状態（ショート）で動作を行い、一方、直立状態での移動を行う際には、より広い範囲で杖を接地できるよう、伸縮杖を長い状態（ロング）で動作を行う伸縮杖の発想に到達した。【００１０】  発明者等が発想した伸縮杖は、機構的には、伸縮杖の長さがショート時（短い状態）とロング時（長い状態）の長さを検討し、決定した長さを基に、伸縮杖の長さを複数段に、例えば２段階又は３段階に、簡単かつ容易に変更可能な伸縮杖（ロフストランドクラッチ）を得るものである。【００１１】  本発明は、上記課題を解決するためになされたものであって、その目的とするところは、伸縮杖の長さを簡単な操作で複数段に容易に変更可能な伸縮杖（ロフストランドクラッチ）を提供することにある。【００１２】  本発明は、上記課題を解決するためになされたものであって、その目的とするところは、座位状態からの起立を行う際には、使用者が力を出し易いように伸縮杖が短い状態（ショート）で動作を行い、直立状態での移動を行う際には、より広い範囲で杖を接地できるよう、伸縮杖を長い状態（ロング）で動作を行う伸縮杖を提供することにある。【００１３】  本発明は、上記課題を解決するためになされたものであって、その目的とするところは、伸縮杖の使用者の簡単な操作により、伸縮杖の長さ（高さ）を複数段に簡単に変更可能な伸縮杖（ロフストランドクラッチ）を提供することにある。
【課題を解決するための手段】
【００１４】  本発明では、上記目的を達成するために、上支柱と下支柱とからなる支柱、前記上支柱に設けられた握り部とからなる伸縮杖において、前記上支柱に外部孔を設け、前記下支柱に前記上支柱の前記外部孔に連通又は非連通する内部孔を設け、前記握り部の下部に、前記上支柱にトリガ操作用ロッドを有するトリガ部を設け、前記上支柱のトリガ部の前記トリガ操作用ロッドの操作により、上記上支柱の前記外部孔と前記下支柱の前記内部孔とを連通又は非連通するロック部を設け、前記トリガ部の前記トリガ操作用ロッドの操作により、上記上支柱の前記第外部孔と前記下支柱の前記内部孔とを連通させて、前記伸縮杖の長さを複数段に変化、調節することを特徴とする伸縮杖にある。
【発明の効果】
【００１５】  本発明によれば、決定したショート（短い状態）時、ロング（長い状態）時のそれぞれの長さを実現できる機能を有する伸縮杖（ロフストランドクラッチ）を得ることができた。【００１６】  本発明によれば、簡単な操作でショート時及びロング時のそれぞれの長さを変更できる機能を有する伸縮杖（ロフストランドクラッチ）を得ることができた。【００１７】  本発明によれば、座位状態からの起立を行う際には、伸縮杖が短い状態（ショート）で動作を行い、直立状態での移動を行う際には、伸縮杖を長い状態（ロング）で動作を行う伸縮杖を得ることができた。
【発明を実施するための最良の形態】
【００１８】  本発明の伸縮杖に一実施例を図面に基づいて説明する。【００１９】  図１は、本発明の伸縮杖の平面図で、伸縮杖１００のロング（長い状態）時の状態を示すものである。即ち、使用者が直立状態での移動を行う場合である。この伸縮杖１００は、主として支柱１０、握り部２０、前腕カフ３０、トリガ部４０、ロック部５０とで構成されている。伸縮杖１００の伸縮機構は、トリガ部４０とロック部５０とに大分される。ロック部５０は、伸縮杖１００の長さを固定する部分で、トリガ部４０に設けたトリガ操作用ロッドを引き続ける間、支柱（上支柱と下支柱）のロック（嵌め合い）が外れ、伸縮杖１００が伸縮可能になる。【００２０】  支柱１０は、上支柱１１と、この上支柱１１に挿入された下支柱１２とで構成されている。図２に示すように、上支柱１１には、握り部２０、前腕カフ３０、トリガ部４０、ロック部５０とが取り付けられている。上支柱１１には、下部に１個のロック用貫通孔１１ａ（外部孔）、上部に１個のワイヤ用貫通孔１１ｂが設けられている。【００２１】  一方、図３に示すように、下支柱１２には、２個のロック用下部貫通孔１２ａ（第一内部孔）、ロック用上部貫通孔１２ｂ（第二内部孔）が設けられている。【００２２】  なお、下支柱１２には、上部が開口した２個の縦溝（スリット）（図示せず）が、下支柱１２の上面から下部貫通孔１２ａの形成箇所の所まで、かつ下部貫通孔１２ａの形成箇所のそれぞれ９０度離れた個所に、対称的かつ垂直方向に形成されている。一方、この下支柱１２の２個の縦溝（スリット）に対応して、上支柱１１の内部にその内部を横切る１個の横軸（図示せず）が設けられている。【００２３】  下支柱１２の２個の縦溝（スリット）は、上支柱１１の横軸の外周を貫通し、下支柱１２は、上支柱１１の内壁に沿って、上支柱１１内を垂直方向に一定範囲内（一定の長さ（高さ））で移動（スライド）できる。このように、上支柱１１と下支柱１２とは、垂直方向に相対運動（相対移動）はできるが、回転運動はできなく（回動不可能）、回り止め機構になっている。【００２４】  このように、上支柱１１と下支柱１２との間の高さ（長さ）を調節でき、伸縮杖１００の長さ（高さ）を調節する。また、この図１に示す伸縮杖１００の状態では、下支柱１２の下部貫通孔（第一内部孔）１２ａは、上支柱１１の下部に設けた貫通孔（外部孔）１１ａと貫通、連通しており、伸縮杖１００は、ロング状態（長い状態）にある。【００２５】  以下、本発明の特徴である主としてトリガ部４０とロック部５０とで構成される伸縮杖１００の伸縮機構を中心に説明する。【００２６】  トリガ部４０について説明する。図４は、上支柱１１に取り付けられたトリガ部４０の上面図である。トリガ部４０は、上支柱１１の両側に固定された二枚の側板４１ａ、４１ｂ、上支柱１１の左右に設けられ、この側板４１ａ、４１ｂに取り付けられた２個の軸４２ａ、４２ｂと、１個の軸４３とを有する。軸４３には、トリガ操作用ロッド４４が上方に回転可能に取り付けられている。【００２７】  図５は、図４に示す側板４１ｂを取り除いて示したトリガ部４０の側面図である。トリガ部４０の２個の軸４２ａ、４２ｂにワイヤ６０が図５に示すよう���配置されている。なお、上支柱１１には、トリガ部４０の側板４１ａ、４１ｂを固定するための２個の孔１１ｃ１、１１ｃ２が設けられている。【００２８】  図６は、上支柱１１に取り付けられたトリガ部４０の左側面図である。ワイヤ６０は、上支柱１１の上部に設けられたワイヤ用貫通孔１１ｂを通して配置され、上支柱１１の外周側面に沿って下方に延びている。【００２９】  ロック部５０について説明する。図７は、上支柱１１に取り付けられたロック部５０の側面図である。図７は、図８の側板５１ｂを取り除いて示したロック部５０の側面図である。図８は、図７に示した垂直板５２を取り除いた支柱１１に取り付けられたロック部５０の左側面図である。【００３０】  ロック部５０は、上支柱１１の両側に二枚の側板５１ａ、５１ｂが２個の軸５８ａ、５８ｂを介して固定されている。ロック部５０の垂直板５２にＬ字形片５３が固定されている。このＬ字状片５３の下部に、可動部材５４が２個のばね５５ａ、５５ｂを介して取り付けられている。即ち、可動部材５４は、２個のばね５５ａ、５５ｂにより、上支柱１１の方向に付勢、押圧されている。可動部材５４の下部先端に、上支柱１１と下支柱１２とに挿入され、上支柱１１と下支柱１２とをロックするロック金具５６が設けられている。【００３１】  即ち、このロック金具５５は、上支柱１１の貫通孔（外部孔）１１ａ及び下支柱１２の下部貫通孔（第一内部孔）１２ａとに挿入され、上支柱１１と下支柱１２とをロック（嵌め合い状態）している。ロック部５０の下部に、二枚の側板５１ａ、５１ｂの間に、軸５７を設けて、この軸５７の外周にワイヤ６０を通している。【００３２】  図９は、Ｌ字形片５３の下面図である。Ｌ字形片５３は、水平部５３ａと垂直部５３ｂとで構成され、水平部５３ａにワイヤ貫通孔５３ｃを有している。このＬ字形片５３のワイヤ貫通孔５３ｃは、ワイヤ６０を通すために設けられている。ワイヤ６０の一方の端部は、ロック金具５６に取り付けられいる。【００３３】  このワイヤ６０は、ロック金具５６と軸５７との間に張られ、軸５７の外周部に接触し、上方のＬ字形片５３のワイヤ貫通孔５３ｃまで右斜め方向に延びている。さらに、このワイヤ６０は、Ｌ字形片５３のワイヤ貫通孔５３ｃを貫通し、上支柱１１の外周側面に沿って上方に延び、トリガ部４０側に延びている。【００３４】  このワイヤ６０は、トリガ部４０で、図５に示すようにトリガ部４０の軸４２ｂまで延び、図６に示すように、軸４２ａを通って、トリガ部４０のトリガ操作用ロッド４４に、ワイヤ６０の他方の端部を結合している。【００３５】  次にこの伸縮杖１００の作用を説明する。図１は、トリガ部４０の操作前の状態を示す。即ち、上支柱１１と下支柱１２とは、ロック（嵌め合い）されている。この場合、トリガ部４０とロック部５０は、図４から図８に示す状態にある。図１及び図５に示すように、トリガ部４０のトリガ操作用ロッド４４は水平に保たれ、ワイヤ６０は、トリガ部４０部の内部では図５に示すように、ロック部５０は図７に示すように配置されている。【００３６】  即ち、ロック部５０の状態は、図７と図８に示すように構成されている。可動部材５４は、ほぼ垂直に保たれ、可動部材５４���ロック金具５６は、上支柱１１の下部貫通孔１１ａと下支柱１２の下部貫通孔（第一内部孔）１２ａとに挿入されている。このように、伸縮杖１００は、トリガ部４０とロック部５０との上述の状態により、一定の固定した長さに保たれている。即ち、上支柱１１と下支柱１２とは、ロング状態にロック（嵌め合い）されている。【００３７】  次に、伸縮杖１００の使用者がトリガ部４０のトリガ操作用棒４４を手で上方に回転、移動して伸縮杖１００の長さ（高さ）を操作、調節する。この伸縮杖１００の操作、調節の途中時のトリガ部４０とロック部５０とは、図１０から図１１に示す状態にある。上支柱１１と下支柱１２とは、ロック（嵌め合い）が外れた状態にある。【００３８】  この伸縮杖１００の操作、調節の途中時のトリガ部４０のトリガ操作用ロッド棒４４は、上方斜めに回転、移動し、ワイヤ６０は、トリガ部４０の内部では図１０に示すように配置されている。【００３９】  一方、ロック部５０の嵌め合いが解かれた状態（ロックが外れた状態）では、図１１に示すように、ロック部５０の各部品は構成されている。可動部材５４は、左側に回転、移動するとともに、Ｌ字形片５３の水平部５３ａは、左側に移動、偏位する。可動部材５４のロック金具５６は、ばね５５ａ、５５ｂの押圧力に逆らって左側に移動する。【００４０】  この時、ロック金具５６は、上支柱１１の貫通孔１１ａ（外部孔）と下支柱１２の貫通孔１２ａ（第一内部孔）からの嵌め合い、挿入状態（ロック状態）から開放される。即ち、ロック金具５６は、上支柱１１の貫通孔１１ａ（外部孔）と下支柱１２の貫通孔１２ａ（第一内部孔）から外れている。なお、ワイヤ６０は、トリガ部４０の内部では図１０に示すように、ロック部５０部の内部では図１１に示すように配置されている。【００４１】  このように、伸縮杖１００のロック部５０は、通常は伸縮杖１００の長さを固定し、一定の長さを保っているが、トリガ部４０のトリガ操作用ロッド４４を引き続ける間、上支柱１１と下支柱１２がの嵌め合い（ロック）が外れ、伸縮杖１００が伸縮可能になる。【００４２】  この結果、伸縮杖１００は、トリガ部４０とロック部５０との上述の状態により、図１に示す状態から下支柱１２が上昇することにより、伸縮杖１００の長さは、短く（ショート）に、伸縮、変化、調節される。【００４３】  そして、使用者が、伸縮杖１００のトリガ部４０のトリガ操作用ロッド４４の操作し、伸縮杖１００を想定した長さに調節し、トリガ部４０のトリガ操作用ロッド４４の手動操作を止めることにより、可動部材５４は移動し、図７に示すように、ほぼ垂直状態になる。可動部材５４のロック金具５６は、上支柱１１の貫通孔１１ａ（外部孔）と下支柱１２の上部貫通孔１２ｂ（第二内部孔）に挿入される。【００４４】  この結果、伸縮杖１００は、トリガ部４０とロック部５０との上述のロック状態とは異なるロック状態により、一定の固定した操作前の伸縮杖１００の長さとは異なる伸縮杖１００の他の所要の短い長さに保たれ、伸縮杖１００は、使用者の使用に供される。即ち、使用者が座位状態からの起立を行う場合に、、伸縮杖１００が短い状態（ショート）からの動作を行うことができる。【００４５】  本発明���伸縮杖の上記一実施例では、握り部の付近にトリガ部のトリガ操作用ロッドを設け、例えば伸縮杖を地面に置いた状態で、トリガ部のトリガ操作用ロッドに簡単な操作より、伸縮杖の長さを２段階（ロング状態とショート状態）に容易に変化、調節できる。【００４６】  なお、上記本発明の伸縮杖の一実施例では、トリガ部及びロック部は、上支柱の外部に設けているが、トリガ部及びロック部は、トリガ操作用ロッドを除いて、支柱に内蔵して設けてもよい。【００４７】  なお、上記本発明の伸縮杖の一実施例では、ワイヤの一部は、支柱の外部に突出して設けているが、ワイヤ部全体を支柱に内蔵してもよい。【００４８】  上記本発明の伸縮杖の一実施例では、前腕カフを握り部の上方に設けているが、この上腕カフは本発明の伸縮杖の必須の構成部品ではない。【００４９】  更に、上記本発明の伸縮杖の一実施例では、嵌め合い用貫通孔は、２段階に変化、調節する場合、上支柱に１個の貫通孔、下支柱に２個の貫通孔を設けたが、嵌め合い用貫通孔は、上支柱に２個の貫通孔、下支柱に１個の貫通孔を設けてもよい。【００５０】  又、上記本発明の伸縮杖の一実施例では、伸縮杖を２段階に変化、調節しているが、例えば３段階に調節してもよい。
【図面の簡単な説明】
【００５１】
【図１】本発明の伸縮杖の平面図。
【図２】本発明の伸縮杖の上支柱の平面図。
【図３】本発明の伸縮杖の下支柱の平面図。
【図４】本発明の伸縮杖のトリガ部の上面図。
【図５】本発明の伸縮杖のトリガ部の側面図。
【図６】本発明の伸縮杖のトリガ部の左側面図。
【図７】本発明の伸縮杖のロック部の側面図。
【図８】本発明の伸縮杖のロック部の左側面図。
【図９】本発明の伸縮杖のロック部のＬ字形片の下面図。
【図１０】本発明の伸縮杖のトリガ部操作中の側面図。
【図１１】本発明の伸縮杖のロック部操作中の側面図。
【符号の説明】
【００５２】  １０・・・支柱  １１・・・上支柱  １１ａ・・・下部貫通孔  １１ｂ・・・上部部貫通孔  １１ｃ１・・・孔  １１ｃ２・・・孔  １２・・・下支柱  １２ａ・・・下部貫通孔  １２ｂ・・・下部貫通孔  ２０・・・握り部  ３０・・・前腕カフ  ４０・・・トリガ部  ４１ａ・・・側板  ４１ｂ・・・側板  ４２ａ・・・軸  ４２ｂ・・・軸  ４３・・・軸  ４４・・・トリガ部操作用ロッド  ５０・・・ロック部  ５１ａ・・・側板  ５１ｂ・・・側板  ５２・・・垂直板  ５３・・・Ｌ字形片  ５３ａ・・・水平部  ５３ｂ・・・垂直部  ５３ｃ・・・貫通孔  ５４・・・可動部材  ５５ａ・・・ばね  ５５ｂ・・・ばね  ５６・・・ロック金具  ５７・・・軸  ５８ａ・・・軸  ５８ｂ・・・軸  ６０・・・ワイヤ
【図１】
2008220909.tif 000003
【図２】
2008220909.tif 000004
【図３】
2008220909.tif 000005
【図４】
2008220909.tif 000006
【図５】
2008220909.tif 000007
【図６】
2008220909.tif 000008
【図７】
2008220909.tif 000009
【図８】
2008220909.tif 000010
【図９】
2008220909.tif 000011
【図１０】
2008220909.tif 000012
【図１１】
2008220909.tif 000013